(57)【要約】【課題】健康管理に関する情報に関して、その情報を要望するユーザに適切に情報を提供することができる健康管理支援システムを提供する。【解決手段】健康管理に関する情報で構成される提供情報をユーザに提供する健康管理支援システムであって、ユーザの属性に関するユーザ情報及びユーザ情報を評価した第１評価情報が格納される第１端末と、提供情報及び提供情報を評価した第２評価情報が格納される第２端末と、第１評価情報と第２評価情報との適合性に基づいてユーザの属性に適した提供情報を第１端末に提供する管理サーバと、を備える。【選択図】図１
2020126565.tif 000002
【特許請求の範囲】
【請求項１】
健康管理に関する情報で構成される提供情報をユーザに提供する健康管理支援システムであって、
前記ユーザの属性に関するユーザ情報及び該ユーザ情報を評価した第１評価情報が格納される第１端末と、
前記提供情報及び該提供情報を評価した第２評価情報が格納される第２端末と、
前記第１評価情報と前記第２評価情報との適合性に基づいて前記ユーザの属性に適した前記提供情報を前記第１端末に提供する管理サーバと、
を備える健康管理支援システム。
【請求項２】
前記第１端末は、
該第１端末から独立した第３端末から提供される前記ユーザ情報を受け付ける、請求項１に記載の健康管理支援システム。
【請求項３】
前記第１端末は、
前記第３端末から提供される前記ユーザ情報及び該ユーザ情報を評価した前記第１評価情報を受け付けるとともに受け付けた前記ユーザ情報及び前記第１評価情報が格納される、請求項２に記載の健康管理支援システム。
【請求項４】
前記第１端末は、
前記第３端末から提供されて受け付けた前記ユーザ情報に基づいて前記第１評価情報を前記ユーザ情報に付加するとともに前記ユーザ情報及び該ユーザ情報に付加した前記第１評価情報が格納される、請求項２に記載の健康管理支援システム。
【請求項５】
前記第２端末は、
該第２端末から独立した第４端末から提供される前記提供情報を受け付ける、請求項１乃至４のいずれか１項に記載の健康管理支援システム。
【請求項６】
前記第２端末は、
前記第４端末から提供される前記提供情報及び該提供情報を評価した前記第２評価情報を受け付けるとともに受け付けた前記提供情報及び前記第２評価情報が格納される、請求項５に記載の健康管理支援システム。
【請求項７】
前記第２端末は、
前記第４端末から提供されて受け付けた前記提供情報に基づいて前記第２評価情報を前記提供情報に付加するとともに前記提供情報及び該提供情報に付加した前記第２評価情報が格納される、請求項５に記載の健康管理支援システム。
【請求項８】
前記第１評価情報と前記第２評価情報との適合性に基づいて前記管理サーバによって前記第１端末に提供された前記提供情報を前記ユーザが検証したユーザ検証情報が入力される、請求項１乃至７のいずれか１項に記載の健康管理支援システム。
【請求項９】
前記管理サーバは、管理者によって管理され、
前記第１評価情報と前記第２評価情報との適合性に基づいて前記管理サーバによって前記第１端末に提供された前記提供情報を前記管理者が検証した管理者検証情報が入力される、請求項１乃至８のいずれか１項に記載の健康管理支援システム。
【請求項１０】
前記第１評価情報と前記第２評価情報との適合性に基づいて前記管理サーバによって前記第１端末に提供された前記提供情報を検証する検証事業者が検証した検証事業者検証情報が入力される、請求項１乃至９のいずれか１項に記載の健康管理支援システム。
【発明の詳細な説明】
【技術分野】
【０００１】
本発明は、健康管理支援システム、特に、健康管理に関する情報で構成される提供情報をユーザに提供する健康管理支援システムに関する。
【背景技術】
【０００２】
近年、ダイエットやメタボリックシンドロームの予防といった健康意識の高まりを受けて、健康管理に関する大量の情報が各種の媒体を介して流通しているところ、このような情報には、健康管理に関するアドバイスを提案するものが存在している。
【０００３】
特許文献１には、ユーザの健康に関する目標である健康目標情報とユーザの健康管理データとを対比してユーザの異常データを検出し、この異常データに関連づけられたアドバイス情報をユーザの端末に提供する健康管理システムが開示されている。
【先行技術文献】
【特許文献】
【０００４】
【特許文献１】特開２００８−２６２５０４公報
【発明の概要】
【発明が解決しようとする課題】
【０００５】
ところで、健康管理に関する情報の流通において、情報を提供する提供者の提供する大量の情報の中から、ユーザがその要望する情報やそのユーザを評価した上で本当に必要な情報を取得することが困難となる事態が発生することが懸念される。
【０００６】
本発明は、上記事情に鑑みてなされたものであり、健康管理に関する情報に関して、その情報を要望するユーザに適切に情報を提供することができる健康管理支援システムを提供することを課題とするものである。
【課題を解決するための手段】
【０００７】
上記課題を達成するための、本発明に係る健康管理支援システムは、健康管理に関する情報で構成される提供情報をユーザに提供する健康管理支援システムであって、ユーザの属性に関するユーザ情報及びユーザ情報を評価した第１評価情報が格納される第１端末と、提供情報及び提供情報を評価した第２評価情報が格納される第２端末と、第１評価情報と第２評価情報との適合性に基づいてユーザの属性に適した提供情報を第１端末に提供する管理サーバと、を備えるものである。
【０００８】
この健康管理支援システムによれば、第１端末に格納されるユーザ情報を評価する第１評価情報と第２端末に格納される提供情報を評価する第２評価情報との適合性に基づいて、ユーザに適した提供情報が第１端末に提供されることから、ユーザはその要望する提供情報の提供を受けることができる。
【０００９】
したがって、ユーザの適切な健康管理が実現されることが期待される。
【００１０】
この健康管理支援システムの第１端末は、第１端末から独立した第３端末から提供されるユーザ情報を受け付けるものであり、第１端末は、第３端末から提供されるユーザ情報及びユーザ情報を評価した第１評価情報を受け付けるとともに受け付けたユーザ情報及び第１評価情報が格納されるものである。
【００１１】
さらに、第１端末は、第３端末から提供されて受け付けたユーザ情報に基づいて第１評価情報をユーザ情報に付加するとともにユーザ情報及びユーザ情報に付加した第１評価情報が格納されるものである。
【００１２】
これによれば、ユーザ情報及び第１評価情報は、第１端末から独立した第３端末からも提供されることから、第３端末が、第１端末が配備される事業者とは異なる事業者に配備されるのであれば、第１端末に格納されるユーザ情報及び第１評価情報が、いわゆるネットワーク効果によって累積的に増大されるであろうことも期待しうる。
【００１３】
一方、健康管理支援システムの第２端末は、第２端末から独立した第４端末から提供される提供情報を受け付けるものであり、第２端末は、第４端末から提供される提供情報及び提供情報を評価した第２評価情報を受け付けるとともに受け付けた提供情報及び第２評価情報が格納されるものである。
【００１４】
さらに、第２端末は、第４端末から提供されて受け付けた提供情報に基づいて第２評価情報を提供情報に付加するとともに提供情報及び提供情報に付加した第２評価情報が格納されるものである。
【００１５】
これによれば、提供情報及び第２評価情報は、第２端末から独立した第４端末からも提供されることから、第４端末が、第２端末が配備される事業者とは異なる事業者に配備されるのであれば、第２端末に格納される提供情報及び第２評価情報が、いわゆるネットワーク効果によって累積的に増大されるであろうことも期待しうる。
【００１６】
さらに、健康管理支援システムは、第１評価情報と第２評価情報との適合性に基づいて管理サーバによって第１端末に提供された提供情報をユーザが検証したユーザ検証情報が入力されるものである。
【００１７】
しかも、健康管理支援システムの管理サーバは、管理者によって管理され、第１評価情報と第２評価情報との適合性に基づいて管理サーバによって第１端末に提供された提供情報を管理者が検証した管理者検証情報が入力されるものである。
【００１８】
一方、健康管理支援システムは、第１評価情報と第２評価情報との適合性に基づいて管理サーバによって第１端末に提供された提供情報を検証する検証事業者が検証した検証事業者検証情報が入力されるものである。
【発明の効果】
【００１９】
この発明によれば、ユーザの適切な健康管理が実現されることが期待される。
【００２０】
ユーザ情報のみを保有する事業者、ユーザ情報及び当該ユーザ情報の評価情報をも保有している事業者、健康管理に関する提供情報のみを保有している事業者、健康管理に関する提供情報及び当該提供情報の評価情報をも保有している事業者の間の取引可能性を高めることができる。
【００２１】
また、上述した取引の整合性を各事業者又はその事業者に属する者をも含めたフィードバックを行うことにより、上記取引の整合性を向上させることができる。
【００２２】
更には、これら本発明において流通・生成されるあらゆる情報を分析・評価し若しくは分析・評価させることにより、現在及び将来に向けた健康に関する社会課題を解決する手段を提供することができる。
【図面の簡単な説明】
【００２３】
【図１】本発明の実施の形態に係る健康管理支援システムの概略を説明する図である。
【図２】同じく、本実施の形態に係る健康管理支援システムの第１端末、第２端末、管理サーバ、第３端末及び第４端末が実装されるコンピュータのハードウェア構成の概略を説明する図である。
【図３】同じく、本実施の形態に係る健康管理支援システムの第１端末のソフトウェア構成の概略を説明する図である。
【図４】同じく、本実施の形態に係る健康管理支援システムの第２端末のソフトウェア構成の概略を説明する図である。
【図５】同じく、本実施の形態に係る健康管理支援システムの管理サーバのソフトウェア構成の概略を説明する図である。
【図６】同じく、本実施の形態に係る健康管理支援システムの第３端末のソフトウェア構成の概略を説明する図である。
【図７】同じく、本実施の形態に係る健康管理支援システムの第４端末のソフトウェア構成の概略を説明する図である。
【図８】本発明の他の実施の形態に係る健康管理支援システムの概略を説明する図である。
【発明を実施するための形態】
【００２４】
次に、図１〜図７に基づいて、本発明の実施の形態に係る健康管理支援システムについて説明する。
【００２５】
図１は、本実施の形態に係る健康管理支援システムの概略を説明する図である。図示のように、健康管理支援システム１０は、第１事業者１、第２事業者２、管理者３、第３事業者４及び第４事業者５の間に配備される。
【００２６】
第１事業者１は、ユーザである従業者Ｗが従事する事業体であり、第２事業者２は、本実施の形態では、例えばウェブサイト等で閲覧可能な画像や映像を作成する事業体であり、管理者３は、健康管理の支援業務に関するサービスを運営する事業体である。
【００２７】
一方、第３事業者４は、本実施の形態では、第１事業者１の従業者Ｗの健康の属性に関するユーザ情報を提供する事業体であり、例えば生命保険サービスを取り扱う広義の金融機関や健康保険組合等であることが想定される。
【００２８】
第４事業者５は、本実施の形態では、第２事業者２と同様、ウェブサイト等で閲覧可能な画像や映像を作成する事業体である。
【００２９】
これらの事業者の間に配備される健康管理支援システム１０は、第１端末２０、第２端末３０、管理サーバ４０、第１端末２０から独立した第３端末５０及び第２端末３０から独立した第４端末６０を備える。
【００３０】
本実施の形態では、第１端末２０が第１事業者１に、第２端末３０が第２事業者２に、管理サーバ４０が管理者３に、第３端末５０が第３事業体４に、第４端末６０が第４事業者５にそれぞれ配備される。
【００３１】
これら第１端末２０、第２端末３０、管理サーバ４０、第３端末５０及び第４端末６０は、本実施の形態ではほぼ同様のハードウェア構成を具備するコンピュータによって実装される。
【００３２】
図２は、第１端末２０、第２端末３０、管理サーバ４０、第３端末５０及び第４端末６０が実装されるコンピュータのハードウェア構成の概略を説明する図である。
【００３３】
図示のように、コンピュータは、プロセッサ１０１、メモリ１０２、ストレージ１０３、送受信部１０４、及び入出力部１０５を主要構成として備え、これらが互いにバス１０６を介して電気的に接続される。
【００３４】
プロセッサ１０１は、コンピュータの動作を制御し、各要素間におけるデータの送受信の制御や、アプリケーションプログラムの実行に必要な処理等を行う演算装置である。
【００３５】
このプロセッサ１０１は、本実施の形態では例えばＣＰＵ（Ｃｅｎｔｒａｌ  Ｐｒｏｃｅｓｓｉｎｇ  Ｕｎｉｔ）であり、後述するストレージ１０３に格納されてメモリ１０２に展開されたアプリケーションプログラムを実行して各処理を行う。
【００３６】
メモリ１０２は、ＤＲＡＭ（Ｄｙｎａｍｉｃ  Ｒａｎｄｏｍ  Ａｃｃｅｓｓ  Ｍｅｍｏｒｙ）等の揮発性記憶装置で構成される主記憶装置、及びフラッシュメモリやＨＤＤ（Ｈａｒｄ  Ｄｉｓｃ  Ｄｒｉｖｅ）等の不揮発性記憶装置で構成される補助記憶装置を備える。
【００３７】
このメモリ１０２は、プロセッサ１０１の作業領域として使用される一方、コンピュータの起動時に実行されるＢＩＯＳ（Ｂａｓｉｃ  Ｉｎｐｕｔ／Ｏｕｔｐｕｔ  Ｓｙｓｔｅｍ）、及び各種の設定情報等が格納される。
【００３８】
ストレージ１０３は、プログラムや各種の処理に用いられるデータ等が格納されている。このストレージ１０３に格納されるプログラム等の詳細については、後述する。
【００３９】
送受信部１０４は、コンピュータをインターネット等のネットワークに接続する。この送受信部１０４は、Ｂｌｕｅｔｏｏｔｈ（登録商標）やＢＬＥ（Ｂｌｕｅｔｏｏｔｈ  Ｌｏｗ  Ｅｎｅｒｇｙ）といった近距離通信インターフェースを具備するものであってもよい。
【００４０】
入出力部１０５には、必要に応じて、キーボードやマウスといった情報入力機器やディスプレイ等の出力機器が接続される。
【００４１】
バス１０６は、接続したプロセッサ１０１、メモリ１０２、ストレージ１０３、送受信部１０４及び入出力部１０５の間において、例えばアドレス信号、データ信号及び各種の制御信号を伝達する。
【００４２】
図３は、第１端末２０のソフトウェア構成の概略を説明する図である。図示のように、第１端末２０のストレージ１０３には、ユーザ情報処理プログラム２１が格納される。
【００４３】
このユーザ情報処理プログラム２１は、データベース２２及びユーザ情報評価モジュール２３を主要構成として備える。
【００４４】
データベース２２は、ストレージ１０３の提供する記憶領域として実現され、本実施の形態では、ユーザ情報Ｄ１、第１評価情報Ｄ２及びユーザ検証情報Ｄ３が入力されて、これらの各情報が格納される。
【００４５】
ユーザ情報Ｄ１は、第１事業者１の従業者Ｗの健康の属性に関する情報であって、例えば従業者Ｗの遺伝子情報、血液情報、検診情報（身長および体重）および生活習慣アンケート（サーベイ）情報等の従業者Ｗの主観と客観の両面からの健康管理対象者に関する情報から構成され、従業者Ｗの生体に関する情報のうち、基礎となる情報および不変的な情報を含めることができる。
【００４６】
このユーザ情報Ｄ１は、本実施の形態では、第１事業者１によって第１端末２０に入力される場合と、第３事業者４によって第３端末５０に入力されたものが第３端末５０から提供される場合とがある。
【００４７】
第１評価情報Ｄ２は、ユーザ情報Ｄ１を評価した情報であって、例えば、ユーザ情報Ｄ１の内容や特徴的な事項といった種々の属性をキーワードとしたタグによって構成される第１評価情報Ｄ２を例示すれば、例えば「下半身太り」「筋肉をつけたい」などの現在の体型等に関する悩みや将来なりたい自分の理想像に関する情報、「メタボ」「にきびがでやすい」又は「お腹が弱い」などの病気や疾患に至る可能性がある主観的な自覚症状又は他者による客観的な他覚症状に関する情報、「喫煙歴」、「お酒が好き」、「外食が多い」又は「運動が好き」などの趣味、嗜好や生活習慣などに関する情報、さらに「菜食主義」や宗教などによる外的環境、家族の既往歴などの「遺伝的傾向」等が挙げられる。  
【００４８】
この第１評価情報Ｄ２は、本実施の形態では、第１端末２０の後述するユーザ情報評価モジュール２３で生成される場合と、第３端末５０で生成されたものが第３端末５０から提供される場合とがある。
【００４９】
ユーザ検証情報Ｄ３は、管理サーバ４０から第１端末２０に提供される後述の提供情報を従業者Ｗが評価した情報である。ユーザ検証情報Ｄ３を例示すれば、例えば、「いいね」「気持ち悪い」「嬉しい」「悲しいなどの主観的な定性評価や、「役に立った」「参考になった」などの自分の行動や知識に利益がある評価、「行った」「行かない」「薦めたい」「薦められたことがある」などの本人以外の外部環境とのやりとりを示す評価の表現等が挙げられる。なお方法は、言葉による評価の他、ランキング、割合、確率、使った金額などの数値換算の表現も含む。
【００５０】
ユーザ情報評価モジュール２３は、ユーザ情報Ｄ１を評価して第１評価情報Ｄ２を生成するモジュールであって、例えば、対象となるユーザ情報Ｄ１と予め設定されたタグ付けテーブルとを対比して評価するモジュール、あるいはニューラルネットワークやランダムフォレストといった各種のアルゴリズムが用いられた機械学習を行う人工知能モジュールによって実装される。
【００５１】
このユーザ情報評価モジュール２３は、第１事業者１によって第１端末２０に入力されたユーザ情報Ｄ１を評価する場合と、第３事業者４によって第３端末５０に入力されて第３端末５０から提供されたユーザ情報Ｄ１を評価する場合とがある。
【００５２】
図４は、第２端末３０のソフトウェア構成の概略を説明する図である。図示のように、第２端末３０のストレージ１０３には、提供情報処理プログラム３１が格納される。
【００５３】
この提供情報処理プログラム３１は、データベース３２及び提供情報評価モジュール３３を主要構成として備える。
【００５４】
データベース３２は、ストレージ１０３の提供する記憶領域として実現され、本実施の形態では、提供情報Ｄ４及び第２評価情報Ｄ５が入力されて、これらの各情報が格納される。
【００５５】
提供情報Ｄ４は、健康管理に関する情報で構成されるものであって、例えばウェブサイト等で閲覧可能な健康志向の料理に関するレシピや下半身痩せダイエットに関する映像等のコンテンツによって構成される。
【００５６】
この提供情報Ｄ４は、本実施の形態では、第２事業者２によって作成されて第２端末３０に格納される場合と、第４事業者５によって作成されて第４端末６０に格納されたものが第４端末６０から提供される場合とがある。
【００５７】
第２評価情報Ｄ５は、提供情報Ｄ４を評価した情報であって、例えば、提供情報Ｄ４の内容や特徴的な事項等をキーワードとしたタグによって構成される。第２評価情報Ｄ５を例示すれば、例えば、「きれい痩せレシピ」、「下半身トレーニング」、「足のむくみを取る」、「小顔魅せマッサージ」などの悩みを解決するタグや「もてテク」「小悪魔風メイク」「すき間時間に簡単！裏技絶品レシピ」等のユーザに響く言葉を組み合わせたタグ、「老け顔リスク」や「ほっそり大陸人タイプ」などの一定の理由によるタイプ分けによるタグ、等）。
【００５８】
この第２評価情報Ｄ５は、本実施の形態では、第２端末３０の後述する提供情報評価モジュール３３で生成される場合と、第４端末６０で生成されたものが第４端末６０から提供される場合とがある。
【００５９】
提供情報評価モジュール３３は、提供情報Ｄ４を評価して第２評価情報Ｄ５を生成するモジュールであって、例えば、対象となる提供情報Ｄ４と予め設定されたタグ付けテーブルとを対比して評価するモジュール、あるいはニューラルネットワークやランダムフォレストといった各種のアルゴリズムが用いられた機械学習を行う人工知能モジュールによって実装される。
【００６０】
この提供情報評価モジュール３３は、第２事業者２によって第２端末３０に格納された提供情報Ｄ４を評価する場合と、第４事業者５によって第４端末６０に格納されて第４端末６０から提供された提供情報Ｄ４を評価する場合とがある。
【００６１】
図５は、管理サーバ４０のソフトウェア構成の概略を説明する図である。図示のように、管理サーバ４０のストレージ１０３には、適合性判定プログラム４１が格納される。
【００６２】
この適合性判定プログラム４１は、適合性判定モジュール４２及びデータベース４３を主要構成として備える。
【００６３】
適合性判定モジュール４２は、第１端末２０のユーザ情報処理プログラム２１のデータベース２２及び第２端末３０の提供情報処理プログラム３１のデータベース３２にアクセスし、ユーザ情報Ｄ１を評価した第１評価情報Ｄ２と提供情報Ｄ４を評価した第２評価情報Ｄ５との適合性に基づいて、従業者Ｗに適した提供情報Ｄ４を抽出するモジュールである。
【００６４】
この適合性判定モジュール４２は、例えば、第１評価情報Ｄ２と第２評価情報Ｄ５とを突合して抽出したタグが含まれる第２評価情報Ｄ５を抽出するモジュール、あるいはニューラルネットワークやランダムフォレストといった各種のアルゴリズムが用いられた機械学習を行う人工知能モジュールによって実装される。
【００６５】
データベース４３は、ストレージ１０３の提供する記憶領域として実現され、本実施の形態では、管理者検証情報Ｄ５が入力されて、この情報が格納される。
【００６６】
管理者検証情報Ｄ５は、管理サーバ４０から第１端末２０に提供される提供情報Ｄ４を管理者３が評価した情報であって、例えば、提供した提供情報Ｄ４が従業者Ｗに有効であったか否か等を数値等で段階評価するといった手法が用いられる。
【００６７】
図６は、第３端末５０のソフトウェア構成の概略を説明する図である。図示のように、第３端末５０のストレージ１０３には、ユーザ情報処理プログラム５１が格納される。
【００６８】
このユーザ情報処理プログラム５１は、データベース５２及びユーザ情報評価モジュール５３を主要構成として備える。
【００６９】
データベース５２は、ストレージ１０３の提供する記憶領域として実現され、本実施の形態では、第３端末５０からユーザ情報Ｄ１が入力されて格納される。
【００７０】
ユーザ情報評価モジュール５３は、第３端末５０から入力されたユーザ情報Ｄ１を評価して第１評価情報Ｄ２を生成するモジュールであって、例えば、対象となるユーザ情報Ｄ１と予め設定されたタグ付けテーブルとを対比して評価するモジュール、あるいはニューラルネットワークやランダムフォレストといった各種のアルゴリズムが用いられた機械学習を行う人工知能モジュールによって実装される。
【００７１】
データベース５２に入力されたユーザ情報Ｄ１及びユーザ情報Ｄ１を評価して生成された第１評価情報Ｄ２は、本実施の形態では、第１事業者１の第１端末２０に提供される。
【００７２】
図７は、第４端末６０のソフトウェア構成の概略を説明する図である。図示のように、第４端末６０のストレージ１０３には、提供情報処理プログラム６１が格納される。
【００７３】
この提供情報処理プログラム６１は、データベース６２及び提供情報評価モジュール６３を主要構成として備える。
【００７４】
データベース６２は、ストレージ１０３の提供する記憶領域として実現され、本実施の形態では、第４端末６０から提供情報Ｄ４が入力されて格納される。
【００７５】
提供情報評価モジュール６３は、第４端末６０から入力された提供情報Ｄ４を評価して第２評価情報Ｄ５を生成するモジュールであって、例えば、対象となる提供情報Ｄ４と予め設定されたタグ付けテーブルとを対比して評価するモジュール、あるいはニューラルネットワークやランダムフォレストといった各種のアルゴリズムが用いられた機械学習を行う人工知能モジュールによって実装される。
【００７６】
データベース６２に入力された提供情報Ｄ４及び提供情報Ｄ４を評価して生成された第２評価情報Ｄ５は、本実施の形態では、第２事業者２の第２端末３０に提供される。
【００７７】
次に、本実施の形態に係る健康管理支援システムの運用について説明する。
【００７８】
まず、第１端末２０の運用について説明する。
【００７９】
第１端末２０では、第１端末２０に格納されたユーザ情報処理プログラム２１のデータベース２２に、第１事業者１によって第１端末２０を介して従業者Ｗのユーザ情報Ｄ１が入力される。
【００８０】
入力されたユーザ情報Ｄ１は、ユーザ情報評価モジュール２３によって評価され、このユーザ情報評価モジュール２３によって、第１評価情報Ｄ２が生成される。
【００８１】
さらに、第１端末２０のユーザ情報処理プログラム２１のデータベース２２には、第３事業者４によって第３端末５０に入力された従業者Ｗのユーザ情報Ｄ１が提供される。
【００８２】
このとき、第３端末５０に入力されたユーザ情報Ｄ１が、第３端末５０のユーザ情報処理プログラム５１のユーザ情報評価モジュール５３によって評価されて第１評価情報Ｄ２が生成されている場合は、この第１評価情報Ｄ２も第１端末２０のユーザ情報処理プログラム２１のデータベース２２に提供される。
【００８３】
一方、第３端末５０に入力されたユーザ情報Ｄ１が、第３端末５０のユーザ情報処理プログラム５１のユーザ情報評価モジュール５３によって評価されていない場合、すなわち第１評価情報Ｄ２が生成されていない場合は、第３端末５０から第１端末２０に提供されたユーザ情報Ｄ１は、第１端末２０のユーザ情報処理プログラム２１のユーザ情報評価モジュール２３によって評価されて、第１評価情報Ｄ２が生成される。
【００８４】
次に、第２端末３０の運用について説明する。
【００８５】
第２端末３０では、第２端末３０に格納された提供情報処理プログラム３１のデータベース３２に、第２事業者２によって第２端末３０を介して提供情報Ｄ４が入力されて格納される。
【００８６】
入力されて格納された提供情報Ｄ２は、提供情報評価モジュール３３によって評価され、この提供情報評価モジュール３３によって、第２評価情報Ｄ５が生成される。
【００８７】
さらに、第２端末３０の提供情報処理プログラム３１のデータベース３２には、第４事業者５によって第４端末６０に入力された提供情報Ｄ４が提供される。
【００８８】
このとき、第４端末６０に入力された提供情報Ｄ４が、第４端末６０の提供情報処理プログラム６１の提供情報評価モジュール６３によって評価されて第２評価情報Ｄ５が生成されている場合は、この第２評価情報Ｄ５も第２端末３０の提供情報処理プログラム３１のデータベース３２に提供される。
【００８９】
一方、第４端末６０に入力された提供情報Ｄ４が、第４端末６０の提供情報処理プログラム６１の提供情報評価モジュール６３によって評価されていない場合、すなわち第２評価情報Ｄ５が生成されていない場合は、第４端末６０から第２端末３０に提供された提供情報Ｄ４は、第２端末３０の提供情報処理プログラム３１の提供情報評価モジュール３３によって評価されて、第２評価情報Ｄ５が生成される。
【００９０】
次に、管理サーバ４０の運用について説明する。
【００９１】
第１端末２０のユーザ情報処理プログラム２１のデータベース２２にユーザ情報Ｄ１及び第１評価情報Ｄ２が格納され、第２端末３０の提供情報処理プログラム３１のデータベース３２に提供情報Ｄ４及び第２評価情報Ｄ５が格納されている状態において、管理サーバ４０は、要望に応じて第１端末２０のユーザ情報処理プログラム２１のデータベース２２及び第２端末３０の提供情報処理プログラム３１のデータベース３２にアクセスする。
【００９２】
管理サーバ４０がこれら各データベース２２、３２にアクセスすると、適合性判定プログラム４１が、ユーザ情報Ｄ１を評価した第１評価情報Ｄ２と提供情報Ｄ４を評価した第２評価情報Ｄ５との適合性に基づいて、従業者Ｗに適した提供情報Ｄ４を抽出する。
【００９３】
抽出した提供情報Ｄ４は、管理サーバ４０から第１端末２０に提供される。
【００９４】
続いて、提供情報Ｄ４が管理サーバ４０から第１端末２０に提供された後の運用について説明する。
【００９５】
第１端末２０に提供情報Ｄ４が提供されると、従業者Ｗは提供情報Ｄ４を視認し、さらには視認しながらあるいは視認した後に提供情報Ｄ４で提供された内容を任意で実行する。
【００９６】
従業者Ｗは、この提供情報Ｄ４に対する検証を行い、この検証に基づいて、第１端末２０のユーザ情報処理プログラム２１のデータベース２２に、従業者Ｗによってユーザ検証情報Ｄ３が入力される。
【００９７】
入力されたユーザ検証情報Ｄ３は、管理サーバ４０に提供され、提供された提供情報Ｄ４の質や効果を検証するといった目的で活用がなされる。
【００９８】
一方、管理サーバ４０から第１端末２０に提供情報Ｄ４が提供された後、管理者３は、適合性判定プログラム４１で抽出した提供情報Ｄ４が従業者Ｗに適していたか否かの検証を行い、この検証に基づいて、管理サーバ４０の適合性判定プログラム４１のデータベース４３に、管理者３によって管理者検証情報Ｄ６が入力される。
【００９９】
このとき、管理サーバ４０に提供されたユーザ検証情報Ｄ３が適宜参照されてもよい。
【０１００】
このように、第１端末２０に格納されるユーザ情報Ｄ１を評価する第１評価情報Ｄ２と第２端末３０に格納される提供情報Ｄ４を評価する第２評価情報Ｄ５との適合性に基づいて、従業者Ｗに適した提供情報Ｄ４が第１端末２０に提供されることから、従業者Ｗはその要望する提供情報Ｄ４の提供を受けることができる。
【０１０１】
したがって、従業者Ｗの適切な健康管理が実現されることが期待される。
【０１０２】
一方、本実施の形態では、ユーザ情報Ｄ１及び第１評価情報Ｄ２は、第１端末２０から独立した第３端末４０からも提供されるところ、第３端末４０は、第１端末２０が配備される第１事業者１とは異なる第３事業者４に配備されることから、第１端末２０に格納されるユーザ情報Ｄ１及び第１評価情報Ｄ２が、いわゆるネットワーク効果によって累積的に増大されるであろうことも期待しうる。
【０１０３】
同様に、本実施の形態では、提供情報Ｄ４及び第２評価情報Ｄ５は、第２端末３０から独立した第４端末６０からも提供されるところ、第４端末６０は、第２端末３０が配備される第２事業者２とは異なる第４事業者５に配備されることから、第２端末３０に格納される提供情報Ｄ４及び第２評価情報Ｄ５が、いわゆるネットワーク効果によって累積的に増大されるであろうことも期待しうる。
【０１０４】
さらに、第１端末２０に提供された提供情報Ｄ４に対する従業者Ｗの検証がユーザ検証情報Ｄ３として入力されることから、提供された提供情報Ｄ４の質や効果を検証するといった目的で活用されることを期待しうる。
【０１０５】
一方、第１端末２０に提供された提供情報Ｄ４が従業者Ｗに適していたか否かの管理者３の検証が管理者検証情報Ｄ６として入力されることから、提供情報Ｄ４の抽出の適否を検証するといった目的で活用されることを期待しうる。
【０１０６】
なお、本発明は上記実施の形態に限定されることはなく、発明の趣旨を逸脱しない範囲で種々の変更が可能である。例えば、図８で示すように、提供情報Ｄ４を検証する検証事業者６が提供情報Ｄ４の検証を行い、この検証に基づいて、検証事業者６に配備される検証事業者端末７０に、検証事業者６によって検証事業者検証情報Ｄ７が入力されるように構成してもよい。
【０１０７】
この検証事業者６は、例えば医療に関わる薬剤の効果や適正な医療保険料、を検証する専門の事業者や、運転における事故確立などの生体情報や生活習慣を利用したサービスの検証を行う事象者、ユーザの認知・知識を測る事業者であって、従業者Ｗのもつ疾患（例えば糖尿病、癌のリスクの他、てんかんや運動・認知行動、書籍などの購入履歴）に関するデータと第１端末２０に提供された提供情報Ｄ４とを突き合わせて、提供された提供情報Ｄ４の適否を検証するといった目的で、検証事業者検証情報Ｄ７が活用される。
【０１０８】
上記実施の形態では、管理サーバ４０が管理者３に配備される場合を説明したが、管理サーバ４０が第１事業者１あるいは第２事業者２のいずれかに配備されるように構成して、管理者３によって健康管理の支援業務に関するサービスの運営がなされない場合であっても、第１事業者１と第２事業者２との間で直接的に取引がなされる事業を構築することも可能である。
【０１０９】
上記実施の形態では、第１評価情報Ｄ２が、第１端末２０のユーザ情報処理プログラム２１のユーザ情報評価モジュール２３、あるいは第３端末５０のユーザ情報処理プログラム５１のユーザ情報評価モジュール５３で生成される場合を説明したが、例えば、ユーザ情報Ｄ１を評価する評価者が評価を行い、その評価を第１端末２０あるいは第３端末５０に入力することによって第１評価情報Ｄ２を生成するように構成してもよい。
【０１１０】
同様に、上記実施の形態では、第２評価情報Ｄ５が、第２端末３０の提供情報処理プログラム３１の提供情報評価モジュール３３、あるいは第４端末６０の提供情報処理プログラム６１の提供情報評価モジュール６３で生成される場合を説明したが、例えば、提供情報Ｄ４を評価する評価者が評価を行い、その評価を第２端末３０あるいは第４端末６０に入力することによって第２評価情報Ｄ５を生成するように構成してもよい。
【０１１１】
さらに、管理サーバ４０が、クラウドサーバとして構成されてもよい。
【符号の説明】
【０１１２】
１    第１事業者
２    第２事業者
３    管理者
４    第３事業者
５    第４事業者
１０    健康管理支援システム
２０    第１端末
２１    ユーザ情報処理プログラム
３０    第２端末
３１    提供情報処理プログラム
４０    管理サーバ
４１    適合性判定プログラム
５０    第３端末
５１    ユーザ情報処理プログラム
６０    第４端末
６１    提供情報処理プログラム
７０    検証事業者端末
Ｄ１    ユーザ情報
Ｄ２    第１評価情報
Ｄ３    ユーザ検証情報
Ｄ４    提供情報
Ｄ５    第２評価情報
Ｄ６    管理者検証情報
Ｄ７    検証事業者検証情報
Ｗ    従業者（ユーザ）
【図１】
2020126565.tif 000003
【図２】
2020126565.tif 000004
【図３】
2020126565.tif 000005
【図４】
2020126565.tif 000006
【図５】
2020126565.tif 000007
【図６】
2020126565.tif 000008
【図７】
2020126565.tif 000009
【図８】
2020126565.tif 000010
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
健康管理に関する情報で構成される提供情報をユーザに提供する健康管理支援システムであって、
前記ユーザの属性に関するユーザ情報及び該ユーザ情報を評価した第１評価情報が格納される第１端末と、
前記提供情報及び該提供情報を評価した第２評価情報が格納される第２端末と、
前記第１評価情報と前記第２評価情報との適合性に基づいて前記ユーザの属性に適した前記提供情報を前記第１端末に提供する管理サーバと、
を備え、
前記第１端末は、
該第１端末から独立した第３端末から提供される前記ユーザ情報を受け付け、
前記第１端末は、
前記第３端末から提供される前記ユーザ情報及び該ユーザ情報を評価した前記第１評価情報を受け付けるとともに受け付けた前記ユーザ情報及び前記第１評価情報が格納されるか、または、前記第３端末から提供されて受け付けた前記ユーザ情報に基づいて前記第１評価情報を前記ユーザ情報に付加するとともに前記ユーザ情報及び該ユーザ情報に付加した前記第１評価情報が格納され、
前記第２端末は、
該第２端末から独立した第４端末から提供される前記提供情報を受け付け、
前記第２端末は、
前記第４端末から提供される前記提供情報及び該提供情報を評価した前記第２評価情報を受け付けるとともに受け付けた前記提供情報及び前記第２評価情報が格納されるか、または、前記第４端末から提供されて受け付けた前記提供情報に基づいて前記第２評価情報を前記提供情報に付加するとともに前記提供情報及び該提供情報に付加した前記第２評価情報が格納される、健康管理支援システム。
【請求項２】
前記第１評価情報と前記第２評価情報との適合性に基づいて前記管理サーバによって前記第１端末に提供された前記提供情報を前記ユーザが検証したユーザ検証情報が入力される、請求項１に記載の健康管理支援システム。
【請求項３】
前記管理サーバは、管理者によって管理され、
前記第１評価情報と前記第２評価情報との適合性に基づいて前記管理サーバによって前記第１端末に提供された前記提供情報を前記管理者が検証した管理者検証情報が入力される、請求項１または２に記載の健康管理支援システム。
【請求項４】
前記第１評価情報と前記第２評価情報との適合性に基づいて前記管理サーバによって前記第１端末に提供された前記提供情報を検証する検証事業者が検証した検証事業者検証情報が入力される、請求項１乃至３のいずれか１項に記載の健康管理支援システム。